(57)【要約】【課題】通信相手の通信方式に応じて、通信方式を切り換えて通信を行うことができる情報計測装置および情報計測方法を提供することを目的とする。【解決手段】電子機器と通信する情報計測装置であって、アンテナと、アンテナを介して第１の通信方式および第２の通信方式で通信を行う通信部と、情報計測装置が装着されているか非装着であるかを検出する装着検出部と、情報計測装置が装着されていることが検出された場合に、第１の通信方式によって第１の電子機器との通信を行い、第１の電子機器から前記第２の通信方式で通信を行う指示を受信した場合に、受信した通信方式に切り換えて第２の電子機器との通信を行うように制御する制御部と、を備える。【選択図】図３
2016119510.tif 000002
【特許請求の範囲】
【請求項１】
電子機器と通信する情報計測装置であって、
アンテナと、
前記アンテナを介して第１の通信方式および第２の通信方式で通信を行う通信部と、
前記情報計測装置が装着されているか非装着であるかを検出する装着検出部と、
前記情報計測装置が装着されていることが検出された場合に、前記第１の通信方式によって第１の前記電子機器との通信を行い、前記第１の電子機器から前記第２の通信方式で通信を行う指示を受信した場合に、受信した通信方式に切り換えて第２の前記電子機器との通信を行うように制御する制御部と、
を備える情報計測装置。
【請求項２】
前記制御部は、
前記第１の電子機器から前記通信方式に関する指示を第１の所定時間以内に受信できなかった場合に、前記第１の通信方式によって前記第１の電子機器との通信を継続する請求項１に記載の情報計測装置。
【請求項３】
前記第１の電子機器または前記第２の電子機器との間で行っている通信の通信方式を記憶する記憶部、を備え、
前記制御部は、
前記装着検出部によって前記情報計測装置が非装着であることが検出された後、第２の所定時間以内に当該情報計測装置が装着されていることが検出された場合に、前記記憶部に記憶されている通信方式で通信を行う請求項１または請求項２に記載の情報計測装置。
【請求項４】
前記制御部は、
前記情報計測装置が装着されていることが検出された場合に、前記第１の通信方式によって前記第１の電子機器との通信を行い、前記第１の電子機器との通信が確立できないとき、前記第２の通信方式によって前記第２の電子機器との通信を行う請求項１から請求項３のいずれか１項に記載の情報計測装置。
【請求項５】
前記第１の通信方式は、
前記情報計測装置と前記第１の電子機器との間で双方向の通信を行う通信方式であり、
前記第２の通信方式は、
前記情報計測装置から前記第２の電子機器への片方向の通信を行う通信方式である請求項１から請求項４のいずれか１項に記載の情報計測装置。
【請求項６】
前記第１の通信方式と前記第２の通信方式とが使用する周波数帯域が同じ周波数帯域である請求項１から請求項５のいずれか１項に記載の情報計測装置。
【請求項７】
計測情報を検出する検出回路と、
前記検出回路に電力の供給と非供給とを切り換える切換部と、を備え、
前記制御部は、
前記情報計測装置が非装着であることが検出された場合に、前記検出回路への電力の供給を停止するように前記切換部を切り換える請求項１から請求項６のいずれか１項に記載の情報計測装置。
【請求項８】
前記検出回路は、
一対の電極の間に生じる電位差に基づいて、前記計測情報を検出し、
前記装着検出部は、
前記一対の電極の間に生じる電位差に基づいて、前記電極が装着されているか非装着であるかを検出する請求項７に記載の情報計測装置。
【請求項９】
前記通信部は、
前記アンテナを介して前記第１の通信方式で通信を行う第１通信回路と、
前記アンテナを介して前記第２の通信方式で通信を行う第２通信回路と、
を備える請求項１から請求項８のいずれか１項に記載の情報計測装置。
【請求項１０】
アンテナを介して第１の通信方式および第２の通信方式で電子機器と通信を行う情報計測装置の通信方式であって、
装着検出部が、情報計測装置が装着されているか非装着であるかを検出する装着検出手順と、
制御部が、前記装着検出手順によって情報計測装置が装着されていることが検出された場合に、前記アンテナを介して前記第１の通信方式によって第１の前記電子機器との通信を行う第１の通信手順と、
前記制御部が、前記第１の通信手順の後に、前記第１の電子機器から前記第２の通信方式で通信を行う指示を受信した場合、受信した通信方式に切り換えて第１の前記電子機器との通信を行うように制御する通信方式切換手順と、
を含む情報計測方法。
【発明の詳細な説明】
【技術分野】
【０００１】
本発明は、情報計測装置および情報計測方法に関する。
【背景技術】
【０００２】
従来、利用者の運動中の生体情報を取得する情報計測システムがある。例えば、心拍計と表示装置とを有する情報計測システムがある。心拍計は、利用者の胸にベルトで装着されて使用され、計測した情報を表示装置へ無線で送信する。表示装置は、心拍計が送信した情報を受信し、受信した情報に基づいて心拍数を表示する。表示装置は、例えば腕時計であり、利用者の腕に装着して使用される。利用者は、表示装置の表示部に表示される心拍数を見て、自分の運動状態を確認する（例えば、非特許文献１参照）。
【０００３】
また、２つの装置間で、２つの通信方式を用いる通信システムが提案されている。このような通信システムは、第１および第２の通信方式によって通信可能な情報サーバと、第１および第２の通信方式によって通信可能な通信機器とを有する。そして、通信機器は、第１の通信方式を用いて情報サーバと接続する。接続後、通信機器は、操作者から情報取得要求を受けとると、第１の通信方式による通信を切断し、第２の通信方式を用いて情報サーバに接続する（例えば、特許文献１参照）。なお、この特許文献１に記載の技術においては、特許文献１の明細書の図１に記載のように、第１および第２の通信方式は、ともに双方向通信である。
【０００４】
また、基地局無線機と端末局無線機との間の無線通信において送信側無線機が、受信信号の受信レベルに基づいてテーブルを参照して無線通信状態を判定する。なお、無線機は、受信レベルに対応して変調方式と各変調方式を識別するコード情報とが予め設定されたテーブルを有している。そして、送信側無線機は、判定した無線通信状態に応じた変調方式に切り換えて送信することが提案されている（例えば、特許文献２参照）。
【先行技術文献】
【特許文献】
【０００５】
【特許文献１】特開２００２−４４１８０号公報
【特許文献２】特開２００５−１９８１２３号公報
【非特許文献】
【０００６】
【非特許文献１】“＜アシックスランニングウオッチ＞走行中のハートレート（心拍数）からトレーニングに最適なペースがわかる新モデルを発売”、［online］、プレスリリース、2013.4.12、［平成２６年１１月７日検索］、インターネット、＜URL:http://www3.sii.co.jp/jp/2013/page/2/2013/04/12/3370/＞
【発明の概要】
【発明が解決しようとする課題】
【０００７】
しかしながら、特許文献１に記載の技術では、通信料金を安くする、すなわち通信効率を良くすることが課題であった。また、特許文献２に記載の技術でも、無線通信状態に応じて変調方式を切り換えるため、通信効率を良くすることが課題であった。また、非特許文献１に記載の技術でも、心拍計は、計測した情報を表示装置へ１つの通信方式によって無線で送信する。このため、従来技術では、通信相手の通信方式に応じて、通信方式を切り換えることはできなかった。
【０００８】
本発明は、上記の問題点に鑑みてなされたものであって、通信相手の通信方式に応じて、通信方式を切り換えて通信を行うことができる情報計測装置および情報計測方法を提供することを目的とする。
【課題を解決するための手段】
【０００９】
上記目的を達成するため、本発明の一態様に係る情報計測装置は、電子機器と通信する情報計測装置であって、アンテナと、前記アンテナを介して第１の通信方式および第２の通信方式で通信を行う通信部と、前記情報計測装置が装着されているか非装着であるかを検出する装着検出部と、前記情報計測装置が装着されていることが検出された場合に、前記第１の通信方式によって第１の前記電子機器との通信を行い、前記第１の電子機器から前記第２の通信方式で通信を行う指示を受信した場合に、受信した通信方式に切り換えて第２の前記電子機器との通信を行うように制御する制御部と、を備える。
【００１０】
また、本発明の一態様に係る情報計測装置において、前記制御部は、前記第１の電子機器から前記通信方式に関する指示を第１の所定時間以内に受信できなかった場合に、前記第１の通信方式によって前記第１の電子機器との通信を継続するようにしてもよい。
【００１１】
また、本発明の一態様に係る情報計測装置は、前記第１の電子機器または前記第２の電子機器との間で行っている通信の通信方式を記憶する記憶部、を備え、前記制御部は、前記装着検出部によって前記情報計測装置が非装着であることが検出された後、第２の所定時間以内に当該情報計測装置が装着されていることが検出された場合に、前記記憶部に記憶されている通信方式で通信を行うようにしてもよい。
【００１２】
また、本発明の一態様に係る情報計測装置において、前記制御部は、前記情報計測装置が装着されていることが検出された場合に、前記第１の通信方式によって前記第１の電子機器との通信を行い、前記第１の電子機器との通信が確立できないとき、前記第２の通信方式によって前記第２の電子機器との通信を行うようにしてもよい。
【００１３】
また、本発明の一態様に係る情報計測装置において、前記第１の通信方式は、前記情報計測装置と前記第１の電子機器との間で双方向の通信を行う通信方式であり、前記第２の通信方式は、前記情報計測装置から前記第２の電子機器への片方向の通信を行う通信方式であるようにしてもよい。
【００１４】
また、本発明の一態様に係る情報計測装置において、前記第１の通信方式と前記第２の通信方式とが使用する周波数帯域が同じ周波数帯域であるようにしてもよい。
【００１５】
また、本発明の一態様に係る情報計測装置は、計測情報を検出する検出回路と、前記検出回路に電力の供給と非供給とを切り換える切換部と、を備え、前記制御部は、前記情報計測装置が非装着であることが検出された場合に、前記検出回路への電力の供給を停止するように前記切換部を切り換えるようにしてもよい。
【００１６】
また、本発明の一態様に係る情報計測装置において、前記検出回路は、一対の電極の間に生じる電位差に基づいて、前記計測情報を検出し、前記装着検出部は、前記一対の電極の間に生じる電位差に基づいて、前記電極が装着されているか非装着であるかを検出するようにしてもよい。
【００１７】
また、本発明の一態様に係る情報計測装置は、前記通信部は、前記アンテナを介して前記第１の通信方式で通信を行う第１通信回路と、前記アンテナを介して前記第２の通信方式で通信を行う第２通信回路と、を備えるようにしてもよい。
【００１８】
上記目的を達成するため、本発明の一態様に係る情報計測方法は、アンテナを介して第１の通信方式および第２の通信方式で電子機器と通信を行う情報計測装置の通信方式であって、
装着検出部が、情報計測装置が装着されているか非装着であるかを検出する装着検出手順と、制御部が、前記装着検出手順によって情報計測装置が装着されていることが検出された場合に、前記アンテナを介して前記第１の通信方式によって第１の前記電子機器との通信を行う第１の通信手順と、前記制御部が、前記第１の通信手順の後に、前記第１の電子機器から前記第２の通信方式で通信を行う指示を受信した場合、受信した通信方式に切り換えて第１の前記電子機器との通信を行うように制御する通信方式切換手順と、を含む。
【発明の効果】
【００１９】
本発明によれば、情報計測装置は、通信相手の通信方式に応じて、通信方式を切り換えて通信を行うことができる。
【図面の簡単な説明】
【００２０】
【図１】本実施形態に係る心拍計測システムの構成を示す構成図である。
【図２】本実施形態に係る心拍計測装置の外観の一例を示す図である。
【図３】本実施形態に係る心拍計測装置の構成を示すブロック図である。
【図４】本実施形態に係る携帯機器の外観の一例を示す図である。
【図５】本実施形態に係る携帯機器の構成を示すブロック図である。
【図６】本実施形態に係る電子時計の外観の一例を示す図である。
【図７】本実施形態に係る電子時計の構成を示すブロック図である。
【図８】本実施形態に係る携帯機器の表示部に表示される画像の一例を説明する図である。
【図９】本実施形態に係る心拍計測システムの動作の一例を説明するタイミングチャートである。
【図１０】本実施形態に係る心拍計測装置の処理の一例を説明するフローチャートである。
【発明を実施するための形態】
【００２１】
以下、本発明の実施の形態について図面を参照しながら説明する。
図１は、本実施形態に係る心拍計測システム１の構成を示す構成図である。図１に示すように、心拍計測システム１は、心拍計測装置１００、携帯機器２００、および電子時計３００で構成される。本実施形態では、情報計測装置の一例として、心拍計測装置１００を例に説明する。また、本実施形態では、第１の電子機器の一例として、携帯機器２００を例に説明し、第２の電子機器の一例として、電子時計３００を例に説明する。
【００２２】
心拍計測装置１００は、第１の通信方式を用いて、携帯機器２００との間で情報４０１の送受信を行う。また、心拍計測装置１００は、第２の通信方式を用いて、電子時計３００に情報４０２の送信を行う。情報４０１および情報４０２については、後述する。なお、本実施形態では、第１の通信方式として、２．４［ＧＨｚ］帯を用いるＢｌｕｅｔｏｏｔｈ（登録商標）  ＬＥ（Ｅｎｅｒｇｙ、以下、ＢＬＥという）規格の通信方式、第２の通信方式として、２．４［ＧＨｚ］帯を用いるＡＮＴまたはＡＮＴ＋規格の通信方式を例に説明する。ＢＬＥとは、近距離無線通信技術であるＢｌｕｅｔｏｏｔｈの拡張仕様の一つで、極低電力で装置間の双方向の通信が可能な通信方式である。また、ＡＮＴおよびＡＮＴ＋は、Ｄｙｎａｓｔｒｅａｍ  Ｉｎｎｏｖａｔｉｏｎｓ社が提唱するワイヤレス通信ソリューションとプロトコルであり、送信側の装置から情報を送信する単方向（片方向ともいう）の通信が可能な通信方式である。
【００２３】
携帯機器２００は、例えば、スマートフォン、タブレット端末、携帯ゲーム機器等である。携帯機器２００は、第１の通信方式を用いて、心拍計測装置１００との間で情報４０１の送受信を行う。
電子時計３００は、第２の通信方式を用いて、心拍計測装置１００から情報４０２の受信を行う。
【００２４】
図１を参照して、本発明の概要を説明する。
心拍計測装置１００は、利用者の胸部に心拍計測装置１００が装着された場合、電源をオン状態にする。続いて、心拍計測装置１００は、心拍の検出を開始する。次に、心拍計測装置１００は、まず、第１の通信方式であるＢＬＥによって通信を開始する。心拍計測装置１００は、ＢＬＥ規格の通信方式によって、携帯機器２００とのペアリング動作が完了した場合、ＢＬＥ規格の通信方式によって、心拍数を示す情報を含む情報４０１を携帯機器２００に送信する。利用者は、携帯機器２００を操作して、第２の通信方式であるＡＮＴ＋方式の通信方式によって通信を行うように切り替える設定を行う。携帯機器２００は、利用者の操作に応じて、ＢＬＥ規格の通信方式によって、ＡＮＴ＋方式の通信方式で通信を行う指示（以下、通信方式指示ともいう）を心拍計測装置１００に送信する。そして、心拍計測装置１００は、携帯機器２００から第２の通信方式であるＡＮＴ＋方式の通信方式で通信を行う指示（以下、通信方式指示ともいう）を受信した場合、ＡＮＴ＋規格の通信方式で心拍数を示す情報を含む情報４０２を電子時計３００に送信する。また、心拍計測装置１００は、通信の方式を示す情報を記憶する。そして、心拍計測装置１００は、利用者の胸部から心拍計測装置１００が一時的にずれて、電源がオフ状態になった後、再度、電源がオン状態になったとき、記憶されている通信方式で通信を再開する。
【００２５】
このように、本実施形態の心拍計測装置１００は、双方向通信を行うＢＬＥ規格の通信方式によって携帯機器２００との通信を行い、携帯機器２００からの通信方式指示に応じて、単方向通信を行うＡＮＴ＋規格の通信方式によって電子時計３００との通信に切り替える。これにより、本実施形態では、１つの製品（心拍計測装置１００）で、通信方式の異なる２つの装置（携帯機器２００と電子時計３００）と通信することができる。また、電子時計３００が、片方向の通信であるＡＮＴ＋規格の通信しか行えない場合であっても、他の通信方式が双方向通信であるため、この双方向通信によって、通信方式を変更することができる。
【００２６】
また、本実施形態の心拍計測装置１００は、通信方式指示によって通信方式が設定された後、利用者の胸部から心拍計測装置１００が一時的にずれて、電源がオフ状態になった後、再度、電源がオン状態になった場合であっても、設定された通信方式で通信を再開する。このため、利用者は、再度、携帯機器２００から、ＡＮＴ＋方式の通信方式によって通信を行うように、切り替える設定を行わなくても、設定した通信方式で通信が再開される。この結果、電子時計３００は、利用者の胸部から心拍計測装置１００が一時的にずれて、電源がオフ状態になった後、再度、電源がオン状態になった場合であっても、継続して心拍数を示す情報を受信して心拍数を表示させることができる。
【００２７】
まず、心拍計測装置１００について説明する。
図２は、本実施形態に係る心拍計測装置１００の外観の一例を示す図である。図２に示すように、心拍計測装置１００は、利用者の胸部の全周に亘って装着されるように略環状に形成されている。心拍計測装置１００は、利用者の胸部にベルト１７０によって装着され、一対の電極を身体の胸部（生体表面）に接触させることにより、心臓の鼓動に伴って発生する心電信号を検出し、検出した心電信号に基づいて心拍数を算出する。
【００２８】
次に、心拍計測装置１００の構成について説明する。
図３は、本実施形態に係る心拍計測装置１００の構成を示すブロック図である。図３に示すように、心拍計測装置１００は、電源部１１０、計測部１２０、通信部１３０、およびアンテナ１４０を備える。
【００２９】
電源部１１０は、装着検出回路１２３、制御部１２５、切換部１２７、カウンタ部１２９、および通信部１３０に電力を供給する。電源部１１０は、例えば一次電池と定電圧回路から構成されている。
【００３０】
次に、計測部１２０について説明する。計測部１２０は、電極１２１、電極１２２、装着検出回路１２３、心拍検出回路１２４、制御部１２５、切換部１２７、記憶部１２８、およびカウンタ部１２９を備える。
計測部１２０は、心拍計測装置１００が利用者に装着されたことが検出された後、ＢＬＥ規格の通信方式で携帯機器２００と通信を行って通信を確立する。計測部１２０は、所定の時間毎に利用者の心拍数を計測する。計測部１２０は、計測した計測した心拍数を示す情報を、ＢＬＥ規格の通信方式によって、第１通信回路１３１とアンテナ１４０を介して、携帯機器２００に送信する。また、計測部１２０は、携帯機器２００からのＡＮＴ＋規格の通信に切り替える通信方式指示を受信した場合、計測した計測した心拍数を示す情報を、ＡＮＴ＋規格の通信によって、第２通信回路１３２とアンテナ１４０を介して、電子時計３００に送信する。
【００３１】
電極１２１と電極１２２とは、一対の電極であり、心臓の鼓動に伴って発生する心電信号を検出する。電極１２１には、装着検出回路１２３から電力が供給される。電極１２２は、接地されている。利用者が心拍計測装置１００を胸部に装着すると、電極１２１と電極１２２との間に皮膚抵抗ＲＨが形成され、この皮膚抵抗ＲＨに応じた電流が電極１２１と電極１２２との間に流れる。
【００３２】
装着検出回路１２３は、電極１２１と電極１２２との間に流れる電流に基づく電圧により、利用者が心拍計測装置１００を装着したか否かを検出し、検出した結果を示す装着検出信号を制御部１２５に出力する。
心拍検出回路１２４は、電極１２１と電極１２２とが検出した心電信号を増幅し、増幅した心電信号を制御部１２５に出力する。
【００３３】
制御部１２５は、装着検出回路１２３から入力された装着検出信号に基づいて、心拍計測装置１００が利用者の胸部に装着されている状態（以下、装着状態という）を検出する。制御部１２５は、心拍検出回路１２４から出力される心電信号のパルス間隔に応じて心拍数を算出する。なお、心電信号のパルス間隔とは、例えば心電信号のピーク間の間隔である。制御部１２５は、装着状態が検出されたとき、算出した心拍数を示す情報を計測結果として通信部１３０へ出力する。
また、制御部１２５は、装着状態が検出されたとき、ＢＬＥ規格の通信方式で通信を行うように設定する。制御部１２５は、第１通信回路１３１およびアンテナ１４０を介して、携帯機器２００との通信を行う。
【００３４】
また、制御部１２５は、携帯機器２００からアンテナ及び第１通信回路１３１を介して、通信方式指示を受信した場合、受信した通信方式指示から通信方式を示す情報を抽出する。そして、制御部１２５は、抽出した通信方式がＢＬＥ規格の通信方式の場合に第１通信回路１３１を用いて通信を行うと判定し、ＢＬＥ規格の通信方式による通信を継続する。また、制御部１２５は、抽出した通信方式がＡＮＴ＋の通信方式の場合に第２通信回路１３２を用いて通信を行うと判定し、通信に使用する通信部１３０の通信回路を第２通信回路１３２に切り換える。制御部１２５は、通信を行っている通信方式を示す情報を、記憶部１２８に記憶させる。なお、制御部１２５は、装着状態のとき、通信を行っている方式を示す情報に通信相手の識別情報を関連付けて記憶させるようにしてもよい。
【００３５】
また、制御部１２５は、カウンタ部１２９のカウント値を用いて、第１の所定時間以内に、ＢＬＥ規格の通信方式で携帯機器２００との通信を確立できたか否かを判別する。制御部１２５は、第１の所定時間以内に携帯機器２００との通信を確立できたと判定した場合、ＢＬＥ規格の通信方式によって、携帯機器２００との通信を継続することを決定する。また、制御部１２５は、第１の所定時間以内に携帯機器２００との通信を確立できなかったと判定した場合、ＡＮＴ＋の通信方式によって、通信を行うように切り換える。なお、通信を確立できなかった状態とは、心拍計測装置１００と携帯機器２００との間で、ペアリングが確立できなかった状態である。
【００３６】
切換部１２７は、制御部１２５が出力する切換信号に応じて、電源部１１０から心拍検出回路１２４への電力の供給を行う状態と、電力が供給されない状態とを切り換える。切換部１２７の端子ａは、心拍検出回路１２４の電源入力端子に接続されている。端子ｂは、電源部１１０に接続されている。
【００３７】
記憶部１２８には、通信方式を示す情報、およびＢＬＥ規格の通信方式で携帯機器２００とペアリング処理を行うときのパスワードが記憶される。
カウンタ部１２９は、電源部１１０から電源が供給開始されたとき、カウントを開始し、カウントした値を示す情報を制御部１２５に出力する。なお、カウンタ部１２９は、発振子を有する発振回路であってもよい。この場合、制御部１２５は、カウンタ部１２９が発振した信号の個数をカウントすることで、第１の所定時間および第２の所定時間が経過したか否かを判別するようにしてもよい。
【００３８】
次に、通信部１３０について説明する。通信部１３０は、第１通信回路１３１および第２通信回路１３２を備える。
第１通信回路１３１は、制御部１２５の制御に基づいて、アンテナ１４０を介して携帯機器２００と、情報４０１の送受信をＢＬＥ規格の通信方式によって行う。第１通信回路１３１が送信する情報４０１には、計測結果である心拍数を示す情報と、心拍計測装置１００の識別情報（ＩＤ）を示す情報と、通信間隔を示す情報とが含まれている。また、第１通信回路１３１は、携帯機器２００から送信された情報４０１を、アンテナ１４０を介して受信し、受信した情報４０１を制御部１２５に出力する。ここで、第１通信回路１３１が受信する情報４０１には、心拍計測装置１００が送信した情報を受信したことに対する応答と携帯機器２００の識別情報、または通信方式指示を示す情報と携帯機器２００の識別情報（ＩＤ）を示す情報が含まれている。
【００３９】
第２通信回路１３２は、第２の通信方式によって、制御部１２５の制御に基づいてアンテナ１４０を介して電子時計３００へ情報４０２の送信を行う。ここで、第２通信回路１３２が送信する情報４０２には、計測結果である心拍数を示す情報と、心拍計測装置１００の識別情報（ＩＤ）を示す情報と、通信間隔を示す情報とが含まれている。
【００４０】
アンテナ１４０は、第１通信回路１３１または第２通信回路１３２が出力する２．４［ＧＨｚ］帯の電気信号を電波として空間に送信する。また、アンテナ１４０は、携帯機器２００が送信した２．４［ＧＨｚ］帯の電波を受信し、受信した電波を電気信号に変換して、第１通信回路１３１に出力する。すなわち、本実施形態において、アンテナ１４０は、第１通信回路１３１と第２通信回路１３２とで兼用される。また、送受信に用いる周波数帯は、２．４［ＧＨｚ］帯である。
【００４１】
次に、携帯機器２００について説明する。
図４は、本実施形態に係る携帯機器２００の外観の一例を示す図である。図４に示すように、携帯機器２００は、本体２６０に、入力部２４０、表示部２４５、報知部２５５、およびマイクロフォン２６５を含んで構成されている。入力部２４０は、例えばタッチパネル式のセンサである。また、図４において、画像ｂ５０１は、心拍計測装置１００との通信を行うアプリケーションのアイコンの画像である。利用者は、入力部２４０を操作して、心拍計測装置１００との通信を行うアプリケーションの起動、通信方式の選択等を行う。
【００４２】
次に、携帯機器２００の構成について説明を行う。
図５は、本実施形態に係る携帯機器２００の構成を示すブロック図である。図５に示すように、携帯機器２００は、電源部２１０、アンテナ２１５、送受信回路２２０、発振部２２５、制御部２３５、入力部２４０、表示部２４５、記憶部２５０、および報知部２５５を備える。
【００４３】
電源部２１０は、携帯機器２００が備える構成要素のそれぞれに電力を供給する。
送受信回路２２０は、心拍計測装置１００から第１の通信方式によって送信される情報４０１を、アンテナ２１５を介して受信し、受信した情報４０１を制御部２３５に出力する。また、送受信回路２２０は、制御部２３５から入力される情報４０１を受信したことを示す情報を、アンテナ２１５を介して送信する。
【００４４】
発振部２２５は、水晶振動子を備え、水晶振動子の振動に基づいた所定周波数の発振信号を発生させる。発振部２２５は、発生させた発振信号を制御部２３５に出力する。
【００４５】
制御部２３５は、携帯機器２００が備える構成要素のそれぞれを制御する。また、制御部２３５は、送受信回路２２０から入力される情報４０１に含まれる心拍数を示す情報に基づいて、心拍数を表示部２４５に表示する。制御部２３５は、心拍計測装置１００から受信した通信間隔で、心拍計測装置１００との通信を行うように送受信回路２２０を制御する。制御部２３５は、発振部２２５から入力された発振信号を用いて通信間隔の制御を行う。また、制御部２３５は、送受信回路２２０から入力される情報４０１に応じて、情報４０１を受信したことを示す情報を送受信回路２２０に出力する。また、制御部２３５は、送受信回路２２０から入力される情報４０１に含まれる心拍計測装置１００の識別情報を抽出して記憶部２５０に記憶させる。また、制御部２３５は、入力部２４０から入力された操作情報に応じて、第１の通信方式を指示する通信方式指示、または第２の通信方式を指示する通信方式指示を生成し、生成した通信方式指示を送受信回路２２０とアンテナ２１５とを介して、心拍計測装置１００に送信する。具体的には、制御部２３５は、利用者によって第１の通信方式によって情報４０１を携帯機器２００で受信することが利用者によって選択された場合、第１の通信方式を指示する通信方式指示を生成する。また、制御部２３５は、第２の通信方式によって情報４０２を電子時計３００で受信することが利用者によって選択された場合、第２の通信方式を指示する通信方式指示を生成する。
【００４６】
表示部２４５は、情報を表示する装置である。表示部２４５は、一例として液晶表示装置（ＬＣＤ）によって構成される。表示部２４５には、心拍数の表示以外に、アプリケーションに対応したアイコン、アプリケーション毎の表示画面等が表示される。
入力部２４０は、利用者からの操作入力を検出し、検出した結果に基づく操作情報を制御部２３５に出力する。入力部２４０は、例えば、表示部２４５上に設けられているタッチパネル方式のセンサである。
【００４７】
記憶部２５０には、心拍計測装置１００の識別情報が記憶される。
報知部２５５は、音を発する装置であり、例えばスピーカである。報知部２５５は、例えば、利用者からの操作入力を入力部２４０が検出する毎に音を発するようにしてもよい。
【００４８】
次に、電子時計３００の説明を行う。
図６は、本実施形態に係る電子時計３００の外観の一例を示す図である。図６に示すように、電子時計３００は、本体に、入力部３４０、３示部２４５、およびベルト３７０を含んで構成されている。図６に示すように、電子時計３００は、例えば腕時計型のものであって、利用者の手首（腕）にベルト３７０によって装着される。電子時計３００は、利用者の手首の全周に亘って装着されるように略環状に形成されている。
【００４９】
次に、電子時計３００の構成について説明を行う。
図７は、本実施形態に係る電子時計３００の構成を示すブロック図である。図７に示すように、電子時計３００は、電源部３１０、アンテナ３１５、受信回路３２０、発振部３２５、分周部３３０、制御部３３５、入力部３４０、表示部３４５、記憶部３５０、および報知部３５５を備える。
【００５０】
電源部３１０は、電子時計３００が備える構成要素のそれぞれに電力を供給する。電源部３１０は、例えば一次電池と定電圧回路から構成されている。
受信回路３２０は、心拍計測装置１００から第２の通信方式によって送信される情報４０２を、アンテナ３１５を介して受信し、受信した情報４０２を制御部３３５に出力する。
【００５１】
発振部３２５は、水晶振動子を備え、水晶振動子の振動に基づいた所定周波数（例えば３２［ｋＨｚ］）の発振クロック信号を発生させる。発振部３２５は、発生させた発振信号を分周部３３０に出力する。
分周部３３０は、発振部３２５から入力された発振信号を分周して計時に用いられる基準信号を生成する。基準信号の駆動周波数は、例えば１［Ｈｚ］である。分周部３３０は、生成した基準信号を制御部３３５に出力する。
【００５２】
制御部３３５は、電子時計３００が備える構成要素のそれぞれを制御する。また、制御部３３５は、受信回路３２０から入力される情報４０２に含まれる心拍数を示す情報に基づいて、心拍数を表示部３４５に表示する。制御部３３５は、分周部３３０から入力された発振信号を用いて、心拍計測装置１００から受信した通信間隔で、心拍計測装置１００からの情報４０２を受信するように受信回路３２０を制御する。また、制御部３３５は、受信回路３２０から入力される情報４０２に含まれる心拍計測装置１００の識別情報を抽出して記憶部３５０に記憶させる。
【００５３】
表示部３４５は、情報を表示する装置である。表示部３４５は、一例として液晶表示装置（ＬＣＤ）によって構成される。表示部３４５には、心拍数の表示以外に、例えば時刻が表示される。
入力部３４０は、利用者からの操作入力を検出し、検出した結果に基づく情報を制御部３３５に出力する。
【００５４】
記憶部３５０には、心拍計測装置１００の識別情報が記憶される。
報知部３５５は、音を発する装置であり、例えば圧電素子である。報知部３５５は、例えば、利用者からの操作入力を入力部３４０が検出する毎に音を発するようにしてもよい。
【００５５】
次に、心拍計測装置１００と携帯機器２００との通信について説明する。
前述したように、心拍計測装置１００と携帯機器２００とは、ＢＬＥ規格の通信方式によって通信を行う。心拍計測装置１００が表示部および入力部を有していないため、ペアリング動作時のパスワードの入力は、携帯機器２００によって行われる。また、利用者が、心拍数を示す情報を電子時計３００で受信したい場合、通信方式の切り替え設定を、携帯機器２００を操作して行う。
【００５６】
図８は、本実施形態に係る携帯機器２００の表示部２４５に表示される画像の一例を説明する図である。
符号ｇ１０１が示す画像は、心拍計測装置１００と携帯機器２００とのペアリング処理中の画像である。符号ｂ５１１は、パスワートを入力した後、心拍計測装置１００との接続を開始するボタンの画像である。符号ｇ１０２が示す画像は、パスワードを入力する欄の画像である。また、符号ｂ５１２が示す領域の画像は、パスワードを入力するための１０キーの画像である。なお、符号ｂ５１２が示す領域の画像では、１０キーの画像のみを示したが、アルファベットの画像との切り換えボタンの画像が含まれていてもよい。なお、心拍計測装置１００が表示部を有していないため、パスワードは、予め出荷時に設定されていて、記憶部１２８に記憶されている。そして、このパスワードは、例えば、心拍計測装置１００の取扱説明書に記載されているようにしてもよい。
また、符号ｇ１１１が示す画像は、利用者によって、入力部２４０が操作され、通信方法の選択画面が表示された後の画像である。符号ｇ１１１が示す画像において、符号ｂ５２１は、第１の通信方式である『Ｂｌｕｅｔｏｏｔｈ  ＬＥ』を選択するボタンの画像であり、符号ｂ５２２は、第２の通信方式である『ＡＮＴ＋』を選択するボタンの画像である。
【００５７】
次に、心拍計測システム１の動作を説明する。
図９は、本実施形態に係る心拍計測システム１の動作の一例を説明するタイミングチャートである。なお、以下の例では、心拍計測装置１００と携帯機器２００とが、ＢＬＥ規格の通信方式によって、ペアリングを確立できた場合の例を説明する。
【００５８】
（ステップＳ１）利用者は、携帯機器２００の入力部２４０を操作して、第１の通信方式である第１の通信方式を開始する指示を選択する。携帯機器２００の制御部２３５は、第１の通信方式で通信を開始する。続けて、制御部２３５は、アドバタイズメント（Ａｄｖｅｒｔｉｓｅｍｅｎｔ）・パケットを受信するスキャニング状態に制御する。
【００５９】
（ステップＳ２）心拍計測装置１００の装着検出回路１２３は、利用者が心拍計測装置１００を装着したことを検出する。なお、装着検出回路１２３は、常時、装着検出を行うようにしてもよく、装着検出を所定の時間間隔毎に行うようにしてもよい。
（ステップＳ３）心拍計測装置１００の制御部１２５は、第１の通信方式で通信するように設定する。次に、制御部１２５は、通信方式を記憶部１２８に記憶させる。
【００６０】
（ステップＳ４）心拍計測装置１００の制御部１２５と、携帯機器２００の制御部２３５とは、ＢＬＥ規格に応じたペアリング処理を行う。例えば、心拍計測装置１００に予めパスワードが設定されているとする。そして、利用者は、図８の符号ｇ１０１に示した画面において、ペアリング処理時に、携帯機器２００の入力部２４０を操作してパスワードを入力する。携帯機器２００の制御部２３５は、入力されたパスワードを示す情報を、送受信回路２２０およびアンテナ２１５を介して、心拍計測装置１００に送信する。次に、心拍計測装置１００の制御部１２５は、パスワードを示す情報を、アンテナ１４０および第１通信回路１３１を介して受信する。続けて、心拍計測装置１００の制御部１２５は、受信したパスワードが、記憶部１２８に予め記憶されているパスワードと一致する場合、ペアリングを完了する。次に、心拍計測装置１００の制御部１２５は、ペアリングが完了したことを示す情報を、第１通信回路１３１およびアンテナ１４０を介して、携帯機器２００に送信する。なお、ペアリング処理のときに送信される情報には、各装置の識別情報（ＩＤ）、製造番号（シリアル番号）、通信間隔を示す情報等が含まれている。
【００６１】
（ステップＳ５）利用者は、携帯機器２００の入力部２４０を操作して、心拍計測装置１００との通信を行うアプリケーションを起動する。次に、図８に示す例において、利用者は、図８の符号ｇ１１１に示した画面において、携帯機器２００の入力部２４０を操作して、第２の通信方式であるＡＮＴ＋のボタンｂ５２２を選択する。続けて、携帯機器２００の制御部２３５は、入力部２４０から入力される操作情報に応じて、第２の通信方式を指示する通信方式指示を生成する。
【００６２】
（ステップＳ６）携帯機器２００の制御部２３５は、第２の通信方式で通信を行うことを示す通信方式指示を、第１の通信方式によって、送受信回路２２０およびアンテナ２１５を介して、心拍計測装置１００に送信する。次に、心拍計測装置１００の制御部１２５は、通信方式変更指示を、第１の通信方式によって、アンテナ１４０および第１通信回路１３１を介して受信する。続けて、制御部１２５は、受信した情報４０１に第２の通信方式で通信を行う通信方式指示が含まれていると判定する。
【００６３】
（ステップＳ７）心拍計測装置１００の制御部１２５は、通信方式指示に対する応答を、第１通信回路１３１およびアンテナ１４０を介して、携帯機器２００に送信する。通信方式指示に対する応答とは、例えば、通信方式指示を受信したことを示す情報を送信することである。続けて、携帯機器２００の制御部２３５は、通信方式指示に対する応答を、第１の通信方式によって、アンテナ２１５および送受信回路２２０を介して受信する。
（ステップＳ８）携帯機器２００の制御部２３５は、第２の通信方式で通信を行うように切り換える。
【００６４】
（ステップＳ９）心拍計測装置１００の制御部１２５は、心拍計測装置１００の識別情報（ＩＤ）および心拍数を示す情報を、第２の通信方式であるＡＮＴ＋規格の通信方式によって、第２通信回路１３２およびアンテナ１４０を介して、予め定められている時間間隔毎に、電子時計３００に送信する。ここで、予め定められている時間間隔は、例えば、約４［Ｈｚ］である。次に、電子時計３００の制御部３３５は、心拍計測装置１００の識別情報（ＩＤ）および心拍数を示す情報を、ＡＮＴ＋規格の通信方式によって、アンテナ３１５および受信回路３２０を介して受信する。以後、制御部２３５は、予め定められている時間間隔毎に、心拍数を示す情報を、ＡＮＴ＋規格の通信方式によって、アンテナ３１５および受信回路３２０を介して受信する。
【００６５】
以上のように、ステップＳ１〜ステップＳ９の処理によって、心拍計測装置１００は、ＢＬＥ規格の通信方式によって、携帯機器２００と通信を行い、ＡＮＴ＋規格の通信規格によって、電子時計３００と通信を行うことができる。なお、心拍計測装置１００は、ＡＮＴ＋規格の通信規格によって、電子時計３００と通信を行っているとき、ＢＬＥ規格の通信方式による通信は停止する。また、前述したように、ＢＬＥ規格とＡＮＴ＋規格とは、同じ周波数帯であるため、心拍計測装置１００は、ＢＬＥ規格の通信方式の通信と、ＡＮＴ＋規格の通信方式の通信とを、１つのアンテナ１４０によって行うことができる。
【００６６】
なお、上述した第１の通信方式における接続手順は概略であり、ＢＬＥ規格に従った手順で行う。また、心拍計測装置１００が行うステップＳ１の処理は、携帯機器２００が行うステップＳ２とＳ３との処理と平行して行われていてもよい。
【００６７】
また、図９に示した例では、第１の通信方式における接続手順において、ペアリング認証を行う例を説明したが、心拍計測装置１００と携帯機器２００とは、ペアリング認証を行わないようにしてもよい。この場合、心拍計測装置１００の制御部１２５は、第１の通信方式で通信を開始するためのアドバタイズメント・パケットを、所定の周期毎に第１通信回路１３１およびアンテナ１４０を介して送信する。アドバタイズメント・パケットには、心拍計測装置１００の識別情報（ＩＤ）、通信間隔を示す情報等が含まれている。次に、携帯機器２００の制御部２３５は、心拍計測装置１００が送信したアドバタイズメント・パケットを受信し、受信したアドバタイズメント・パケットを解読して、送信した装置の識別子（ＩＤ）を抽出する。続けて、携帯機器２００の制御部２３５は、参加要請を示す情報を、心拍計測装置１００に送信する。参加要請を示す情報には、アドレス情報等の通信に必要な情報が含まれている。次に、心拍計測装置１００の制御部１２５は、受信状態の期間に、アンテナ１４０および第１通信回路１３１を介して、参加要請を示す情報を受信する。制御部１２５は、参加要請を示す情報を受信した場合、接続を確立する。携帯機器２００の制御部２３５は、これらの処理後、ステップＳ６以降の処理を行う。
【００６８】
ペアリング処理を行うか否かの設定は、例えば、携帯機器２００の制御部２３５が、第１の通信方式によって、送受信回路２２０およびアンテナ２１５を介して、心拍計測装置１００に送信するようにしてもよい。そして、心拍計測装置１００の制御部１２５は、受信したペアリング処理を行うか否かの設定を記憶部１２８に記憶させ、記憶させた情報に応じてペアリング処理を行うか否かの処理を行うようにしてもよい。
【００６９】
また、ペアリング処理を行う場合、パスワードが心拍計測装置１００に予め定められている例を説明したが、これに限られない。パスワードは、心拍計測装置１００毎に予め定められていてもよい。また、パスワードは、第１の通信方式によって、携帯機器２００の制御部２３５が、送受信回路２２０およびアンテナ２１５を介して、心拍計測装置１００に送信するようにしてもよい。そして、心拍計測装置１００の制御部１２５は、受信したパスワードを示す情報を記憶部１２８に記憶させてパスワードを変更するようにしてもよい。
【００７０】
なお、図９に示す例では、心拍計測装置１００と携帯機器２００とが、ＢＬＥ規格の通信方式によって、ペアリングを確立できた例を説明したが、ペアリングを確立できなかった場合、心拍計測装置１００の制御部１２５は、ＡＮＴ＋規格の通信方式に切り替えて、情報４０２を送信する。これにより、心拍計測装置１００と、ＢＬＥ規格の通信方式で通信を行える範囲に携帯機器２００がない場合、または携帯機器２００が通信可能な状態になっていない場合であっても、心拍計測装置１００は、ＡＮＴ＋規格の通信方式によって、心拍数を示す情報を含む情報４０２を送信することができる。これにより、電子時計３００が、心拍計測装置１００とＡＮＴ＋規格の通信方式で通信を行える範囲にある場合、ＡＮＴ＋規格の通信方式によって、心拍数を示す情報を受信して表示部３４５に表示させることができる。なお、心拍計測装置１００の制御部１２５は、通信を行っているＡＮＴ＋規格の通信方式を示す情報を、記憶部１２８に記憶させる。また、心拍計測装置１００は、双方向通信であるＢＬＥ規格の通信方式によって、ＡＮＴ＋規格の通信方式に切り替える通信方式指示を受信することができ、受信した通信方式指示によって、通信方式を切り替えることができる。利用者によって、ＡＮＴ＋規格の通信方式に切り替える設定が行われた場合、利用者が、心拍計測装置１００と電子時計３００との通信を行うことを希望していることになる。この切り替えを、本実施形態では、利用者は、携帯機器２００を操作することによって、切り替え指示である通信方式指示を心拍計測装置１００へ送信することができる。
【００７１】
また、心拍計測装置１００の制御部１２５は、装着状態が検出された後、心拍計測装置１００が非装着である状態（以下、非装着状態という）であることを装着検出回路１２３から入力された装着検出信号に基づいて検出する。制御部１２５は、非装着状態が検出された場合、カウンタ部１２９のカウント値を用いて、第２の所定時間以内に、装着状態が検出された場合、記憶部１２８に記憶されている通信方式で携帯機器２００との通信を再開する。また、制御部１２５は、非装着状態が検出された場合、第２の所定時間以内に、装着状態が検出されなかった場合、再びＢＬＥ規格の通信方式で携帯機器２００との通信を行う。この結果、利用者の胸部から心拍計測装置１００が一時的にずれて、心拍計測装置１００の電源がオフ状態になった後、再度、電源がオン状態になった場合であっても、電子時計３００は、継続して心拍数を示す情報を受信して心拍数を表示させることができる。
【００７２】
さらに、制御部１２５は、第２の所定の時間以上、心拍計測装置１００の非装着状態が継続した場合、電源部１１０から心拍検出回路１２４への電力の供給を行わない状態に切り換える切換信号を生成し、生成した切換信号を切換部１２７に出力する。制御部１２５は、心拍計測装置１００の装着状態が検出された場合、電源部１１０から心拍検出回路１２４への電力の供給を行う状態に切り換える切換信号を生成し、生成した切換信号を切換部１２７に出力する。これにより、制御部１２５は、心拍計測装置１００の非装着状態の期間、心拍検出回路１２４に電源部１１０から電源が供給されないように制御する。また、制御部１２５は、心拍計測装置１００の非装着状態の期間、自部を電力の消費を抑えるスリープモードになるように制御する。この結果、本実施形態によれば、心拍計測装置１００は、利用者に非装着状態である場合、消費電力を低減することができる。
【００７３】
次に、心拍計測装置１００の処理の手順を説明する。
図１０は、本実施形態に係る心拍計測装置１００の処理の一例を説明するフローチャートである。
【００７４】
（ステップＳ１０１）装着検出回路１２３は、心拍計測装置１００が利用者に装着されている状態であるか非装着である状態かを検出する。次に、制御部１２５は、装着検出回路１２３の検出結果に基づいて、心拍計測装置１００が利用者に装着されている状態であるか非装着である状態かを判別する。続けて、制御部１２５は、心拍計測装置１００が非装着である状態であると判別した場合（ステップＳ１０１；非装着）、ステップＳ１０１の処理を繰り返す。制御部１２５は、心拍計測装置１００が装着されている状態であると判別した場合（ステップＳ１０１；装着）、ステップＳ１０２に処理を進める。
【００７５】
（ステップＳ１０２）制御部１２５は、第１の通信方式で通信するように設定する。次に、制御部１２５は、通信方式を記憶部１２８に記憶させる。
【００７６】
（ステップＳ１０３）制御部１２５は、カウンタ部１２９が出力するカウント値に基づいて、第１の所定時間が経過したか否かを判別する。制御部１２５は、第１の所定時間が経過したと判別した場合（ステップＳ１０３；ＹＥＳ）、ステップＳ１１２に処理を進め、第１の所定時間が経過していないと判別した場合（ステップＳ１０３；ＮＯ）、ステップＳ１０４に処理を進める。
【００７７】
（ステップＳ１０４）制御部１２５は、携帯機器２００とのペアリング処理を行う。
（ステップＳ１０５）制御部１２５は、ペアリングが確立できたか否かを判別する。制御部１２５は、ペアリングが確立できたと判別した場合（ステップＳ１０５；ＹＥＳ）、ステップＳ１０６に処理を進め、ペアリングが確立できていないと判別した場合（ステップＳ１０５；ＮＯ）、ステップＳ１０３に処理を戻す。
【００７８】
（ステップＳ１０６）制御部１２５は、ペアリングが確立できたため、接続が確立したと判定する。
（ステップＳ１０７）制御部１２５は、通信方式指示を受信したか否かを判別する。制御部１２５は、通信方式指示を受信したと判別した場合（ステップＳ１０７；ＹＥＳ）、ステップＳ１１１に処理を進め、通信方式指示を受信していないと判別した場合（ステップＳ１０７；ＮＯ）、ステップＳ１０８に処理を進める。
【００７９】
（ステップＳ１０８）制御部１２５は、カウンタ部１２９が出力するカウント値に基づいて、第２の所定時間が経過したか否かを判別する。制御部１２５は、第２の所定時間が経過したと判別した場合（ステップＳ１０８；ＹＥＳ）、ステップＳ１０９に処理を進め、第２の所定時間が経過していないと判別した場合（ステップＳ１０８；ＮＯ）、ステップＳ１０７に処理を戻す。
【００８０】
（ステップＳ１０９）制御部１２５は、第１の通信方式によって、通信を継続する。
（ステップＳ１１０）制御部１２５は、心拍計測装置１００の識別情報（ＩＤ）と心拍数を示す情報と通信間隔を示す情報とを、第１の通信方式によって、第１通信回路１３１およびアンテナ１４０を介して、予め定められている時間間隔毎に、携帯機器２００に送信する。制御部１２５は、ステップＳ１１４に処理を進める。
【００８１】
（ステップＳ１１１）制御部１２５は、受信した通信方式指示に、第１の通信方式の指示が含まれているか、第２の通信方式の指示が含まれているかを判別する。制御部１２５は、受信した通信方式指示に、第１の通信方式の指示が含まれていると判別した場合（ステップＳ１１１；第１の通信方式で通信を行う指示）、ステップＳ１０９に処理を進める。制御部１２５は、受信した通信方式指示に、第２の通信方式の指示が含まれていると判別した場合（ステップＳ１１１；第２の通信方式で通信を行う指示）、ステップＳ１１２に処理を進める。
【００８２】
（ステップＳ１１２）制御部１２５は、通信方式指示が第２の通信方式で通信を行う指示の場合、または、第１の所定時間以内に第１の通信方式で携帯機器とペアリングが確立（接続を確立）できなかった場合、第２の通信方式によって通信を行うように切り換える。
（ステップＳ１１３）制御部１２５は、心拍計測装置１００の識別情報（ＩＤ）と心拍数を示す情報と通信間隔を示す情報とを、第２の通信方式によって、第２通信回路１３２およびアンテナ１４０を介して、予め定められている時間間隔毎に、電子時計３００に送信する。制御部１２５は、ステップＳ１１４に処理を進める。
【００８３】
（ステップＳ１１４）装着検出回路１２３は、心拍計測装置１００が装着されている状態であるか非装着である状態かを検出する。装着検出回路１２３は、非装着状態を検出した時に、ステップＳ１１５に処理を進める。
【００８４】
（ステップＳ１１５）制御部１２５は、カウンタ部１２９が出力するカウント値に基づいて、第２の所定時間が経過したか否かを判別する。制御部１２５は、第２の所定時間が経過したと判別した場合（ステップＳ１１５；ＹＥＳ）、ステップＳ１１８に処理を進め、第２の所定時間が経過していないと判別した場合（ステップＳ１１５；ＮＯ）、ステップＳ１１６に処理を進める。
【００８５】
（ステップＳ１１６）制御部１２５は、記憶部１２８に記憶されている通信方式で通信を再開する。
（ステップＳ１１７）制御部１２５は、記憶部１２８に記憶されている通信方式で、心拍計測装置１００の識別情報（ＩＤ）および心拍数を示す情報を、予め定められている時間間隔毎に送信する。具体的には、記憶されている通信方式が第１の通信方式の場合、制御部１２５は、心拍計測装置１００の識別情報（ＩＤ）と心拍数を示す情報と通信間隔を示す情報とを、第１の通信方式によって、第１通信回路１３１およびアンテナ１４０を介して、携帯機器２００に送信する。または、記憶されている通信方式が第２の通信方式の場合、制御部１２５は、心拍計測装置１００の識別情報（ＩＤ）と心拍数を示す情報と通信間隔を示す情報とを、第２の通信方式によって、第２通信回路１３２およびアンテナ１４０を介して、電子時計３００に送信する。送信後、制御部１２５は、ステップＳ１１４に処理を戻す。
【００８６】
（ステップＳ１１８）制御部１２５は、心拍検出回路１２４への電力の供給を停止するように切換部１２７を制御し、心拍計測装置１００をスリープ状態になるように制御する。スリープ状態の期間、制御部１２５は、通信部１３０およびアンテナを介して、情報の送信および受信も行わない。次に、制御部１２５は、ステップＳ１０１の処理に戻す。次に、制御部１２５は、再び装着されたことが検出された場合、心拍計測装置１００をスリープ状態から復帰させるように制御する。
心拍計測装置１００は、ステップＳ１０１〜Ｓ１１８の処理を繰り返す。
【００８７】
以上のように、本実施形態の情報計測装置（例えば心拍計測装置１００）は、電子機器（例えば携帯機器２００、電子時計３００）と通信する情報計測装置であって、アンテナ１４０と、アンテナを介して第１の通信方式（例えばＢＬＥ規格の通信方式）および第２の通信方式（例えばＡＮＴまたはＡＮＴ＋規格の通信方式）で通信を行う通信部１３０と、情報計測装置が装着されているか非装着であるかを検出する装着検出部（装着検出回路１２３）と、情報計測装置が装着されていることが検出された場合に、第１の通信方式によって第１の電子機器（例えば携帯機器２００）との通信を行い、第１の電子機器から第２の通信方式で通信を行う指示を受信した場合に、受信した通信方式に切り換えて第２の電子機器（例えば電子時計３００）との通信を行うように制御する制御部１２５と、を備える。
【００８８】
この構成によって、本実施形態の心拍計測装置１００は、１つの心拍計測装置１００で、第１の通信方式のみを行う携帯機器２００、または第２の通信方式のみを行う電子時計３００と通信を行うことができる。また、本実施形態の心拍計測装置１００は、携帯機器２００から受信した通信方式で、携帯機器２００または電子時計３００との通信を行うように通信方式を切り換えることができる。この結果、本実施形態では、１つの製品（心拍計測装置１００）で、通信方式の異なる２つの装置（携帯機器２００と電子時計３００）と通信することができる。また、電子時計３００が、片方向の通信であるＡＮＴ＋規格の通信しか行えない場合であっても、他の通信方式が双方向通信であるため、この双方向通信によって、通信方式を変更することができる。
【００８９】
また、本実施形態の情報計測装置（例えば心拍計測装置１００）において、制御部１２５は、第１の電子機器（例えば携帯機器２００）から通信方式に関する指示を第１の所定時間以内に受信できなかった場合に、第１の通信方式（例えばＢＬＥ規格の通信方式）によって第１の電子機器との通信を継続する。
【００９０】
この構成によって、本実施形態の心拍計測装置１００は、利用者が通信方式の設定を行わない場合であっても、第１の通信方式によって携帯機器２００と通信を行うことができる。
【００９１】
また、本実施形態の情報計測装置（例えば心拍計測装置１００）は、第１の電子機器（例えば携帯機器２００）または第２の電子機器（例えば電子時計３００）との間で行っている通信の通信方式を記憶する記憶部１２８、を備え、制御部１２５は、装着検出部（装着検出回路１２３）によって情報計測装置が非装着であることが検出された後、第２の所定時間以内に当該情報計測装置が装着されていることが検出された場合に、記憶部に記憶されている通信方式で通信を行う。
【００９２】
この構成によって、本実施形態の心拍計測装置１００は、心拍計測装置１００がずれて非装着状態と一時的に検出された場合であっても、設定を再度行わずに、装着状態で行っていた通信方式で通信を再開することができる。
【００９３】
また、本実施形態の情報計測装置（例えば心拍計測装置１００）において、制御部１２５は、情報計測装置が装着されていることが検出された場合に、第１の通信方式（例えばＢＬＥ規格の通信方式）によって第１の電子機器（例えば携帯機器２００）との通信を行い、第１の電子機器との通信が確立できないとき、第２の通信方式（例えばＡＮＴまたはＡＮＴ＋規格の通信方式）によって第２の電子機器（例えば電子時計３００）との通信を行う。
【００９４】
この構成によって、本実施形態の心拍計測装置１００は、第１の通信方式で通信を行える範囲に携帯機器２００がない場合であっても、第２の通信方式を用いて、電子時計３００との通信を行うことができる。
【００９５】
また、本実施形態の情報計測装置（例えば心拍計測装置１００）において、第１の通信方式（例えばＢＬＥ規格の通信方式）は、情報計測装置と第１の電子機器（例えば携帯機器２００）との間で双方向の通信を行う通信方式であり、第２の通信方式（例えばＡＮＴまたはＡＮＴ＋規格の通信方式）は、情報計測装置から第２の電子機器（例えば電子時計３００）への片方向の通信を行う通信方式である。
【００９６】
この構成によって、本実施形態の心拍計測装置１００は、携帯機器２００との通信の確立を双方向の通信である第１の通信方式で行い、携帯機器２００から第２の通信方式で通信を行う指示を受信した後、電子時計３００への心拍数を示す情報の送信を片方向の通信である第２の通信方式で行うことで、心拍数を示す情報の送信時に受信処理を行わなくて済むため、通信に要する消費電力を低減することができる。
【００９７】
また、本実施形態の情報計測装置（例えば心拍計測装置１００）において、第１の通信方式（例えばＢＬＥ規格の通信方式）と第２の通信方式（例えばＡＮＴまたはＡＮＴ＋規格の通信方式）とが使用する周波数帯域（例えば２．４ＧＨｚ帯）が同じ周波数帯域である。
【００９８】
この構成によって、本実施形態の心拍計測装置１００は、１つのアンテナ１４０を介して第１の通信方式と第２の通信方式との通信を行うことができる。この結果、本実施形態の心拍計測装置１００では、２つの通信方式を備えていても、部品を削減することができる。
【００９９】
また、本実施形態の情報計測装置（例えば心拍計測装置１００）は、計測情報を検出する検出回路（例えば心拍検出回路１２４）と、検出回路に電力の供給と非供給とを切り換える切換部１２７と、を備え、制御部１２５は、情報計測装置が非装着であることが検出された場合に、検出回路への電力の供給を停止するように前記切換部を切り換える。
【０１００】
この構成によって、本実施形態の心拍計測装置１００は、非装着状態が検出された場合、心拍検出回路１２４への電力の供給を停止するように制御するので、心拍計測装置１００のスリープ状態における消費電力を低減することができる。
【０１０１】
なお、本実施形態で説明した心拍計測装置１００の通信部１３０は、例えば１つのＩＣ（Ｉｎｔｅｇｒａｔｅｄ  Ｃｉｒｃｕｉｔ；集積回路）で掲載されていてもよい。
また、本実施形態では、通信部１３０が、第１通信回路１３１および第２通信回路１３２の２つの通信回路を備える例を説明したが、３つ以上の通信方式に対応した通信回路を備えていてもよい。この場合であっても、制御部１２５は、携帯機器２００から受信した通信方式変更指示に応じて、通信に使用する通信回路に切り換えるようにしてもよい。
【０１０２】
なお、本実施形態では、心拍計測装置１００において、非装着状態が検出された後、第２の所定時間以上が経過した後に装着状態が検出された場合、制御部１２５は、携帯機器２００と第１の通信方式で通信を行う例を説明したがこれに限られない。例えば、利用者が、心拍計測装置１００と電子時計３００とを用いて、心拍数を測定する場合、消費電力が少ないＡＮＴ＋の通信方式を用いたい場合もある。このような場合、制御部１２５は、非装着状態が検出された後、第２の所定時間以上が経過した後に装着状態が検出された場合であっても、記憶部１２８に記憶されている通信方式を用いて通信を開始するようにしてもよい。利用者が携帯機器２００とＢＬＥ規格の通信を行いたい場合、例えば、心拍計測装置１００の電源部１１０である一次電池を所定の時間、心拍計測装置１００から外すことで、記憶部１２８に記憶されている情報を初期化するようにしてもよい。これにより、制御部１２５は、非装着状態が検出された後、第２の所定時間以上が経過した後に装着状態が検出された場合に、第１の通信方式で、携帯機器２００と通信を開始することができる。
【０１０３】
また、本実施形態では、第１の通信方式としてＢＬＥ規格の通信、第２の通信方式としてＡＮＴまたはＡＮＴ＋規格の通信を例に説明したが、これに限られない。第１の通信方式と第２の通信方式とは、通信に使用する周波数帯域が同じであり、数ｍ（メートル）〜数十ｍ程度離れていても通信が行える低消費電力の通信方式であればよい。第１の通信方式および第２の通信方式として、例えば、ＺｉｇＢｅｅ（登録商標）等の通信方式であってもよい。
【０１０４】
また、本実施形態では、情報計測装置の例として心拍を測定する心拍計測装置１００を例に説明したが、これに限られない。情報計測装置は、例えば、歩数を計測し、計測した歩数を示す情報を送信する歩数計であってもよい。また、例えば、自転車の車輪やペダルに取り付けられたセンサによって検出された車輪やペダルの回転数に基づいて移動速度や移動距離を測定し、測定した移動速度や移動距離を送信する計測装置であってもよい。
【０１０５】
また、本実施形態および変形例では、心拍計測装置１００が１つ、携帯機器２００または電子時計３００が１つの例を説明したが、これに限られない。心拍計測装置１００は、複数であってもよい。この場合、携帯機器２００または電子時計３００は、複数の心拍計測装置１００のそれぞれと、例えば第１の通信方式によって通信を行うようにしてもよい。この場合、例えば、携帯機器２００または電子時計３００と、心拍計測装置１００のそれぞれは、ペアリング処理中に送受信する情報４０１に、情報をやりとりするタイミングを含めて送受信するようにし、心拍計測装置１００のそれぞれの通信のタイミングが重ならないようにしてもよい。または、第２の通信方式が複数のチャネルを用いることができる場合、携帯機器２００または電子時計３００と、心拍計測装置１００のそれぞれは、ペアリング処理中に送受信する情報４０１に、情報をやりとりするチャネルを示す情報を含めて送受信し、このチャネルを用いて第２の通信方式のよって通信を行うようにしてもよい。
【０１０６】
なお、上述した実施形態における心拍計測装置１００が備える構成要素のそれぞれの機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【０１０７】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【符号の説明】
【０１０８】
１…心拍計測システム、１００…心拍計測装置、１１０…電源部、１２０…計測部、１２１、１２２…電極、電極、１２３…装着検出回路、１２４…心拍検出回路、１２５…制御部、１２７…切換部、１２８…記憶部、１２９…カウンタ部、１３０…通信部、１３１…第１通信回路、１３２…第２通信回路、１４０…アンテナ、１７０…ベルト、２００…携帯機器、３００…電子時計、２１０、３１０…電源部、２１５、３１５…アンテナ、２２０…送受信回路、３２０…受信回路、２２５、３２５…発振部、３３０…分周部、２３５、３３５…制御部、２４０、３４０…入力部、２４５、３４５…表示部、２５０、３５０…記憶部、２５５、３５５…報知部、３７０…ベルト
【図１】
2016119510.tif 000003
【図２】
2016119510.tif 000004
【図３】
2016119510.tif 000005
【図４】
2016119510.tif 000006
【図５】
2016119510.tif 000007
【図６】
2016119510.tif 000008
【図７】
2016119510.tif 000009
【図８】
2016119510.tif 000010
【図９】
2016119510.tif 000011
【図１０】
2016119510.tif 000012